(57)【特許請求の範囲】
【請求項１】
建築物の少なくとも２階に相当する長さを有する第１矩形壁部と、この第１矩形壁部と協働してＬ形もしくはＴ形のパネル体を形成する第２矩形壁部とを備えてなる建築物用通し壁パネルであって、前記各矩形壁部は、ベース部材とその両端部と中間部から上方に延出する３本の柱部材と梁部材からなり、前記第１矩形壁部および第２矩形壁部を補強するよう第１矩形壁部と第２矩形壁部との間に水平に横架された角柱状の補強材とその補強材と第１矩形壁部及び第２矩形壁部によって形成される三角形の開口部を覆う上下一対の板材からなる火打ち部を前記パネル体の少なくとも上端部と下端部に有することを特徴とする建築物用通し壁パネル。
【請求項２】
建築物の少なくとも２階に相当する長さを有する第１矩形壁部と、この第１矩形壁部に対してほぼ直角に配置された第２矩形壁部と、この第２矩形壁部および前記第１矩形壁部と協働してＵ形あるいはＸ形あるいはＨ形のパネル体を形成する第３矩形壁部とを備えてなる建築物用通し壁パネルであって、前記各矩形壁部は、ベース部材とその両端部と中間部から上方に延出する３本の柱部材と梁部材からなり、前記第１ないし第３矩形壁部を補強するよう第１矩形壁部ないし第３矩形壁部との間に水平に横架された角柱状の補強材とその補強材と第１矩形壁部ないし第３矩形壁部によって形成される三角形の開口部を覆う上下一対の板材からなる火打ち部を前記パネル体の少なくとも上端部と下端部に有することを特徴とする建築物用通し壁パネル。
【発明の詳細な説明】
【０００１】
【発明の属する技術分野】
本発明は、木造家屋等の建築物に用いられる建築物用通し壁パネルに関する。
【０００２】
【従来の技術】
従来、木造家屋等の建築物を構築する方法として、軸組み工法と称される在来工法がある。この軸組み工法は土台上に柱、桁、筋かい等を軸組みして木造家屋を建築する工法であり、柱等の軸組みに熟練した技能を要していた。また、軸組みの不要な工法として２×４工法があるが、この２×４工法は土台上に壁枠を枠組みしなければならないことから、壁枠の枠組みに熟練した技能を要していた。そこで、本願発明者は木造家屋等の建築物を容易に組み立てることのできる工法として、基礎または土台上に複数の通し壁パネルを立設して建築物の壁体を形成し、次いで基礎または土台上に立設された通し壁パネルに１階床パネル受け桟、２階床パネル受け桟及び天井パネル受け桟を取り付け、これらの受け桟で１階床パネル、２階床パネルおよび天井パネルを支えて建築物を組み立てる工法を考案した。
【０００３】
【発明が解決しようとする課題】
しかしながら、前述した工法に使用される通し壁パネルは、長尺の壁パネルであるため、捻れが生じ易い。このため、建築物を組み立てる際に水平度や垂直度が出し難いという問題があった。また、基礎または土台上に設置された通し壁パネルが倒れるのを防止するために、通し壁パネルを基礎または土台上にアンカーボルトで固定するまでは何らかの手段で通し壁パネルを支えておく必要があった。
【０００４】
本発明は上記の点に鑑みてなされたもので、その目的とするところは、建築物を組み立てる際に水平度および垂直度を容易に出すことのできる建築物用通し壁パネルを提供することにある。
【０００５】
【課題を解決するための手段】
前記の目的を達成するために、請求項１に記載の本発明は、建築物の少なくとも２階に相当する長さを有する第１矩形壁部と、この第１矩形壁部と協働してＬ形もしくはＴ形のパネル体を形成する第２矩形壁部とを備えてなる建築物用通し壁パネルであって、前記各矩形壁部は、ベース部材とその両端部と中間部から上方に延出する３本の柱部材と梁部材からなり、前記第１矩形壁部および第２矩形壁部を補強するよう第１矩形壁部と第２矩形壁部との間に水平に横架された角柱状の補強材とその補強材と第１矩形壁部及び第２矩形壁部によって形成される三角形の開口部を覆う上下一対の板材からなる火打ち部を前記パネル体の少なくとも上端部と下端部に有することを特徴とする。
【０００６】
また、請求項２に記載の本発明は、建築物の少なくとも２階に相当する長さを有する第１矩形壁部と、この第１矩形壁部に対してほぼ直角に配置された第２矩形壁部と、この第２矩形壁部および前記第１矩形壁部と協働してＵ形あるいはＸ形あるいはＨ形のパネル体を形成する第３矩形壁部とを備えてなる建築物用通し壁パネルであって、前記各矩形壁部は、ベース部材とその両端部と中間部から上方に延出する３本の柱部材と梁部材からなり、前記第１ないし第３矩形壁部を補強するよう第１矩形壁部ないし第３矩形壁部との間に水平に横架された角柱状の補強材とその補強材と第１矩形壁部ないし第３矩形壁部によって形成される三角形の開口部を覆う上下一対の板材からなる火打ち部を前記パネル体の少なくとも上端部と下端部に有することを特徴とする。
【００１０】
【発明の実施の形態】
以下、本発明の実施の形態を図面に基づいて説明する。
【００１１】
図１は本発明の第１の実施形態に係る建築物用通し壁パネルの斜視図で、図２は同実施形態に係る建築物用通し壁パネルの縦断面図である。図１及び図２において、本発明の第１の実施形態に係る建築物用通し壁パネル１０は、建築物の少なくとも２階に相当する長さＬを有する第１矩形壁部１１と、この第１矩形壁部１１と協働してＬ形のパネル体１３を形成する第２矩形壁部１２とを備えて構成されている。
【００１２】
第１矩形壁部１１および第２矩形壁部１２は建築物の基礎または土台上に載置される角柱状のベース部材１４（図２参照）を有しており、このベース部材１４には、パネル体１３を基礎または土台上にアンカーボルトで固定するためのアンカーボルト挿通孔１５が複数設けられている。また、第１矩形壁部１１および第２矩形壁部１２はベース部材１４の両端部と中間部から上方に延出する３本の柱部材１７を有しており、これらの柱部材１７には、パネル体１３に１階床パネル受桟、２階床パネル受桟および天井パネル受桟（図示せず）をボルトとナットで取り付けるための受桟取付孔１９が複数設けられている。
【００１３】
第１矩形壁部１１および第２矩形壁部１２は建築物の屋根パネルを支持する梁部材２０（図２参照）を有しており、この梁部材２０には、パネル体１３に屋根パネルをボルトとナットで取り付けるための屋根パネル取付孔２１が複数設けられている。また、第１矩形壁部１１および第２矩形壁部１２は前記ベース部材１４、柱部材１７および梁部材２０によって形成される矩形枠体の開口部を該枠体の両面側から覆う一対の方形板２２，２３（図２参照）を有しており、これらの方形板２２，２３間にはパネル状の断熱体２４が設けられている。なお、ベース部材１４、柱部材１７および梁部材２０は角柱状の木質材で形成されている。
【００１４】
第１矩形壁部１１と第２矩形壁部１２によって形成されるＬ形パネル体１３の上端部と下端部および中間部には、第１矩形壁部１１および第２矩形壁部１２を補強する火打ち部２５がそれぞれ設けられている。これらの火打ち部２５は第１矩形壁部１１と第２矩形壁１２との間に水平に横架された角柱状の補強材２６と、この補強材２６と第１矩形壁部１１および第２矩形壁部１２によって形成される三角形の開口部を覆う上下一対の板材２７，２７とから構成されている。
【００１５】
このように構成される通し壁パネル１０では、第１矩形壁部１１および第２矩形壁部１２を補強する火打ち部２５をＬ形パネル体１３の上端部と下端部および中間部に設けたことにより、通し壁パネル１０の機械的強度が向上する。従って、通し壁パネル１０に捻れが発生することを防止でき、これにより通し壁パネル１０を使用して建築物を組み立てる際に水平度や垂直度を容易に出すことができる。
【００１６】
なお、上述した第１の実施形態では、第１矩形壁部１１と第２矩形壁部１２を補強する火打ち部２５をＬ形パネル体１３の上端部と下端部および中間部に設けたが、火打ち部２５をＬ形パネル体１３の上端部と下端部のみに設けても同様の効果を得ることができる。
【００１７】
図３は本発明の第２の実施形態に係る建築物用通し壁パネルの斜視図で、図４は同実施形態に係る建築物用通し壁パネルの縦断面図である。図３及び図４において、本発明の第２の実施形態に係る建築物用通し壁パネル３０は、建築物の少なくとも２階に相当する長さＬを有する第１矩形壁部３１と、この第１矩形壁部３１と協働してＴ形のパネル体３３を形成する第２矩形壁部３２とを備えて構成されている。
【００１８】
第１矩形壁部３１および第２矩形壁部３２は建築物の基礎または土台上に載置される角柱状のベース部材３４（図４参照）を有しており、このベース部材３４には、パネル体３３を基礎または土台上にアンカーボルトで固定するためのアンカーボルト挿通孔３５が複数設けられている。また、第１矩形壁部３１および第２矩形壁部３２はベース部材３４の両端部と中間部から上方に延出する３本の柱部材３７を有しており、これらの柱部材３７には、パネル体３３に１階床パネル受桟、２階床パネル受桟および天井パネル受桟（図示せず）をボルトとナットで取り付けるための受桟取付孔３９が複数設けられている。
【００１９】
第１矩形壁部３１および第２矩形壁部３２は建築物の屋根パネルを支持する梁部材４０を有しており、この梁部材４０には、パネル体３３に屋根パネルをボルトとナットで取り付けるための屋根パネル取付孔４１が複数設けられている。また、第１矩形壁部３１および第２矩形壁部３２は前記ベース部材３４、柱部材３７および梁部材４０によって形成される矩形枠体の開口部を該枠体の両面側から覆う一対の方形板４２，４３を有しており、これらの方形板４２，４３間にはパネル状の断熱体４４が設けられている。なお、ベース部材３４、柱部材３７および梁部材４０は角柱状の木質材で形成されている。
【００２０】
第１矩形壁部３１と第２矩形壁部３２によって形成されるＴ形パネル体３３の上端部と下端部および中間部には、第１矩形壁部３１および第２矩形壁部３２を補強する火打ち部４５が設けられている。これらの火打ち部４５は第１矩形壁部３１と第２矩形壁３２との間に水平に横架された角柱状の補強材４６と、この補強材４６と第１矩形壁部３１および第２矩形壁部３２によって形成される三角形の開口部を覆う上下一対の板材４７，４７とから構成されている。
【００２１】
このように構成される通し壁パネル３０では、第１矩形壁部３１および第２矩形壁部３２を補強する火打ち部４５をＴ形パネル体３３の上端部と下端部および中間部に設けたことにより、通し壁パネル３０の機械的強度が向上する。従って、通し壁パネル３０に捻れが発生することを防止でき、これにより通し壁パネル３０を使用して建築物を組み立てる際に水平度や垂直度を容易に出すことができる。
【００２２】
なお、上述した第２の実施形態では、矩形壁部３１，３２を補強する火打ち部４５をＴ形パネル体３３の上端部と下端部および中間部に設けたが、火打ち部４５をＴ形パネル体３３の上端部と下端部のみに設けても同様の効果を得ることができる。
【００２３】
図５は本発明の第３実施形態に係る建築物用通し壁パネルの斜視図で、図６は同実施形態に係る建築物用通し壁パネルの縦断面図である。図５及び図６において、本発明の第３の実施形態に係る建築物用通し壁パネル５０は、建築物の少なくとも２階に相当する長さＬを有する第１矩形壁部５１と、この第１矩形壁部５１に対してほぼ直角に配置された第２矩形壁部５２と、この第２矩形壁部５２および第１矩形壁部５１と協働してＵ形のパネル体５４を形成する第３矩形壁部５３とを備えて構成されている。
【００２４】
各矩形壁部５１〜５３は建築物の基礎または土台上に載置される角柱状のベース部材５５（図６参照）を有しており、このベース部材５５には、パネル体５４を基礎または土台上にアンカーボルトで固定するためのアンカーボルト挿通孔５６が複数設けられている。また、矩形壁部５１〜５３はベース部材５５の両端部と中間部から上方に延出する３本の柱部材５７を有しており、これらの柱部材５７には、パネル体５４に１階床パネル受桟、２階床パネル受桟および天井パネル受桟（図示せず）をボルトとナットで取り付けるための受桟取付孔５９が複数設けられている。
【００２５】
また、矩形壁部５１〜５３は建築物の屋根パネルを支持する梁部材６０を有しており、この梁部材６０には、パネル体５４に屋根パネルをボルトとナットで取り付けるための屋根パネル取付孔６１が複数設けられている。また、矩形壁部５１〜５３は前記ベース部材５５、柱部材５７および梁部材６０によって形成される矩形枠体の開口部を該枠体の両面側から覆う一対の方形板６２，６３を有しており、これらの方形板６２，６３間にはパネル状の断熱体６４が設けられている。なお、ベース部材５５、柱部材５７および梁部材６０は角柱状の木質材で形成されている。
【００２６】
第１ないし第３矩形壁部５１〜５３によって形成されるＵ形パネル体５４の上端部と下端部および中間部には、矩形壁部５１〜５３を補強する火打ち部６５が設けられている。これらの火打ち部６５は角柱状の補強材６６と、この補強材６６と矩形壁部５１〜５３によって形成される開口部を覆う上下一対の板材６７，６７とから構成されている。
【００２７】
このように構成される通し壁パネル５０では、矩形壁部５１〜５３を補強する火打ち部６５をＵ形パネル体５４の上端部と下端部および中間部に設けたことにより、通し壁パネル５０の機械的強度が向上する。従って、通し壁パネル５０に捻れが発生することを防止でき、これにより通し壁パネル５０を使用して建築物を組み立てる際に水平度や垂直度を容易に出すことができる。
【００２８】
なお、上述した第３の実施形態では、矩形壁部５１〜５３を補強する火打ち部６５をＵ形パネル体５４の上端部と下端部および中間部に設けたが、火打ち部６５をＵ形パネル体５４の上端部と下端部のみに設けても同様の効果を得ることができる。
【００２９】
図７は本発明の第４の実施形態に係る建築物用通し壁パネルの正面図で、図８は同実施形態に係る建築物用通し壁パネルの平面図である。また、図９は同実施形態に係る建築物用通し壁パネルの縦断面図であり、本発明の第４の実施形態に係る建築物用通し壁パネル７０は、建築物の少なくとも２階に相当する長さＬを有する第１矩形壁部７１と、この第１矩形壁部７１に対してほぼ直角に配置された第２矩形壁部７２と、この第２矩形壁部７２および第１矩形壁部７１と協働してＸ形のパネル体７４を形成する第３矩形壁部７３とを備えて構成されている。
【００３０】
矩形壁部７１〜７３は建築物の基礎または土台上に載置される角柱状のベース部材７５（図９参照）を有しており、このベース部材７５には、パネル体７４を基礎または土台上にアンカーボルトで固定するためのアンカーボルト挿通孔７６が複数設けられている。また、矩形壁部７１〜７３はベース部材７５の両端部と中間部から上方に延出する３本の柱部材７７を有しており、これらの柱部材７７には、パネル体７４に１階床パネル受桟、２階床パネル受桟および天井パネル受桟（図示せず）をボルトとナットで取り付けるための受桟取付孔７９が複数設けられている。
【００３１】
矩形壁部７１〜７３は建築物の屋根パネルを支持する梁部材８０を有しており、この梁部材８０には、パネル体７４に屋根パネルをボルトとナットで取り付けるための屋根パネル取付孔８１が複数設けられている。また、矩形壁部７１〜７３は前記ベース部材７５、柱部材７７および梁部材８０によって形成される矩形枠体の開口部を該枠体の両面側から覆う一対の方形板８２，８３を有しており、これらの方形板８２，８３間にはパネル状の断熱体８４が設けられている。なお、ベース部材７５、柱部材７７および梁部材８０は角柱状の木質材で形成されている。
【００３２】
矩形壁部７１〜７３によって形成されるＸ形パネル体７４の上端部と下端部および中間部には、矩形壁部７１〜７３を補強する火打ち部８５が設けられている。これらの火打ち部８５は角柱状の補強材８６と、この補強材８６と矩形壁部７１〜７３によって形成される開口部を覆う上下一対の板材８７，８７とから構成されている。
【００３３】
このように構成される通し壁パネル７０では、矩形壁部７１〜７３を補強する火打ち部８５をＸ形パネル体７４の上端部と下端部および中間部に設けたことにより、通し壁パネル７０の機械的強度が向上する。従って、通し壁パネル７０に捻れが発生することを防止でき、これにより通し壁パネル７０を使用して建築物を組み立てる際に水平度や垂直度を容易に出すことができる。
【００３４】
なお、上述した第４の実施形態では、矩形壁部７１〜７３を補強する火打ち部８５をＸ形パネル体７４の上端部と下端部および中間部に設けたが、火打ち部８５をＸ形パネル体７４の上端部と下端部のみに設けても同様の効果を得ることができる。
【００３５】
図１０は本発明の第５の実施形態に係る建築物用通し壁パネルの斜視図で、図１１は同実施形態に係る建築物用通し壁パネルの縦断面図である。図１０及び図１１において、本発明の第５の実施形態に係る建築物用通し壁パネル９０は、建築物の少なくとも２階に相当する長さＬを有する第１矩形壁部９１と、この第１矩形壁部９１に対してほぼ直角に配置された第２矩形壁部９２と、この第２矩形壁部９２および第１矩形壁部９１と協働してＨ形のパネル体９４を形成する第３矩形壁部９３とを備えて構成されている。
【００３６】
矩形壁部９１〜９３は建築物の基礎または土台上に載置される角柱状のベース部材９５（図１１参照）を有しており、このベース部材９５には、パネル体９４を基礎または土台上にアンカーボルトで固定するためのアンカーボルト挿通孔９６が複数設けられている。また、矩形壁部９１〜９３はベース部材９５の両端部と中間部から上方に延出する３本の柱部材９７を有しており、これらの柱部材９７には、パネル体９４に１階床パネル受桟、２階床パネル受桟および天井パネル受桟（図示せず）をボルトとナットで取り付けるための受桟取付孔９９が複数設けられている。
【００３７】
また、矩形壁部９１〜９３は建築物の屋根パネルを支持する梁部材１００を有しており、この梁部材１００には、パネル体９４に屋根パネルをボルトとナットで取り付けるための屋根パネル取付孔１０１が複数設けられている。また、矩形壁部９１〜９３は前記ベース部材９５、柱部材９７および梁部材１００によって形成される矩形枠体の開口部を該枠体の両面側から覆う一対の方形板１０２，１０３を有しており、これらの方形板１０２，１０３間にはパネル状の断熱体１０４が設けられている。なお、ベース部材９５、柱部材９７および梁部材１００は角柱状の木質材で形成されている。
【００３８】
矩形壁部９１〜９３によって形成されるＨ形パネル体９４の上端部と下端部および中間部には、矩形壁部９１〜９３を補強する火打ち部１０５が設けられている。これらの火打ち部１０５は角柱状の補強材１０６と、この補強材１０６と矩形壁部９１〜９３によって形成される開口部を覆う上下一対の板材１０７，１０７とから構成されている。
【００３９】
このように構成される通し壁パネル９０では、矩形壁部９１〜９３を補強する火打ち部１０５をＨ形パネル体９４の上端部と下端部および中間部に設けたことにより、通し壁パネル９０の機械的強度が向上する。従って、通し壁パネル９０に捻れが発生することを防止でき、これにより通し壁パネル９０を使用して建築物を組み立てる際に水平度や垂直度を容易に出すことができる。
【００４０】
なお、上述した第５の実施形態では、矩形壁部９１〜９３を補強する火打ち部１０５をＨ形パネル体９４の上端部と下端部および中間部に設けたが、火打ち部１０５をＨ形パネル体９４の上端部と下端部のみに設けても同様の効果を得ることができる。
【００４１】
また、本発明は上述した実施形態に限定されるものではなく、本発明の要旨を逸脱しない範囲で種々の変形が実施可能である。
【００４２】
【発明の効果】
以上説明したように、本発明によれば、建築物を組み立てる際に水平度および垂直度を容易に出すことのできる建築物用通し壁パネルを提供できる。
【図面の簡単な説明】
【図１】本発明の第１の実施形態に係る建築物用通し壁パネルの斜視図である。
【図２】図１に示す通し壁パネルの縦断面図である。
【図３】本発明の第２の実施形態に係る建築物用通し壁パネルの斜視図である。
【図４】図３に示す通し壁パネルの縦断面図である。
【図５】本発明の第３の実施形態に係る建築物用通し壁パネルの斜視図である。
【図６】図５に示す通し壁パネルの縦断面図である。
【図７】本発明の第４の実施形態に係る建築物用通し壁パネルの正面図である。
【図８】図７に示す通し壁パネルの平面図である。
【図９】図７に示す通し壁パネルの縦断面図である。
【図１０】本発明の第５の実施形態に係る建築物用通し壁パネルの斜視図である。
【図１１】図１０に示す通し壁パネルの縦断面図である。
【符号の説明】
１１，３１，５１，７１，９１  第１矩形壁部
１２，３２，５２，７２，９２  第２矩形壁部
５３，７３，９３  第３矩形壁部
１３  Ｌ形パネル体
３３  Ｔ形パネル体
５４  Ｕ形パネル体
７４  Ｘ形パネル体
９４  Ｈ形パネル体
２５，４５，６５，８５，１０５  火打ち部
【図１】
0003616304.tif 000002
【図２】
0003616304.tif 000003
【図３】
0003616304.tif 000004
【図４】
0003616304.tif 000005
【図５】
0003616304.tif 000006
【図６】
0003616304.tif 000007
【図７】
0003616304.tif 000008
【図８】
0003616304.tif 000009
【図９】
0003616304.tif 000010
【図１０】
0003616304.tif 000011
【図１１】
0003616304.tif 000012